(57)【特許請求の範囲】
【請求項１】
発熱部を備えたはんだ取扱装置において、
前記発熱部の設定温度を変更可能な可変抵抗器と、
前記可変抵抗器を収容するケーシングと、
前記ケーシングの内部で前記可変抵抗器に連結され、且つ所定の軸回りに回動する当該可変抵抗器の抵抗値を調整可能な連結部材と、
前記ケーシングの外部から前記連結部材に対し着脱自在に取り付けられ、且つ前記連結部材を介して前記ケーシングの外部から前記可変抵抗器を操作可能な操作部材と、
前記連結部材と前記ケーシングの何れか一方に設けられた係合部と、
前記連結部材と前記ケーシングの何れか他方に設けられ、前記係合部を係止させる係止部と、
弾性変形可能に設けられ、且つ自由状態においては、前記係合部を前記係止部に係止させて設定温度に応じた前記軸回りの角度に当該連結部材をロックする弾性部と
を備え、
前記操作部材は、当該操作部材が前記連結部材に取り付けられているときに前記弾性部を前記ケーシングの外側から内側へ押し込んで弾性変形させることにより、前記係合部を前記係止部から離脱させてロックを解除するものである
ことを特徴とするはんだ取扱装置。
【請求項２】
発熱部を備えたはんだ取扱装置において、
前記発熱部の設定温度を変更可能な可変抵抗器と、
前記可変抵抗器を収容するケーシングと、
前記ケーシングの内部で前記可変抵抗器に連結され、且つ所定の軸回りに回動する当該可変抵抗器の抵抗値を調整可能な連結部材と、
前記連結部材を介して前記ケーシングの外部から前記可変抵抗器を操作可能な操作部材と、
前記連結部材と前記ケーシングの何れか一方に設けられた係合部と、
前記連結部材と前記ケーシングの何れか他方に設けられ、前記係合部を係止させる係止部と、
弾性変形可能に設けられ、且つ自由状態においては、前記係合部を前記係止部に係止させて設定温度に応じた前記軸回りの角度に当該連結部材をロックする弾性部と
を備え、
前記操作部材は、前記弾性部を自由状態に維持する位置と前記弾性部が前記係止部から離脱する状態に押し込む位置との間で相対的に変位可能に前記連結部材に連結されており、
前記操作部材は、当該操作部材が押し込まれているときに前記弾性部を前記ケーシングの外側から内側へ押し込んで弾性変形させることにより、前記係合部を前記係止部から離脱させてロックを解除するものである
ことを特徴とするはんだ取扱装置。
【請求項３】
請求項１記載のはんだ取扱装置において、
特定形状の部材のみ前記ケーシングの外側から前記弾性部の押し込み動作を許容する鍵受け部をさらに備えている
ことを特徴とするはんだ取扱装置。
【請求項４】
請求項３に記載のはんだ取扱装置において、
前記鍵受け部は、前記連結部材に設けられたボス部に形成され、前記特定形状の部材のみ受入可能な複数の切欠を備えている
ことを特徴とするはんだ取扱装置。
【請求項５】
請求項３または４に記載のはんだ取扱装置において、
前記特定形状の部材は、前記鍵受け部を介して前記弾性部を前記ケーシングに対する係止状態から離脱状態に押し込み可能なキー突起である
ことを特徴とするはんだ取扱装置。
【請求項６】
請求項３から５の何れか１項に記載のはんだ取扱装置において、
前記操作部材は、前記ケーシングの外側から前記連結部材に対して着脱可能に取り付けられるノブである
ことを特徴とするはんだ取扱装置。
【請求項７】
請求項６記載のはんだ取扱装置において、
前記ノブは、前記係合部が前記係止部から離脱するように前記キー突起が前記弾性部を押し込んでいる状態で前記連結部材に固定されている
ことを特徴とするはんだ取扱装置。
【請求項８】
請求項１から７の何れか１項に記載のはんだ取扱装置において、
前記発熱部が設けられ、且つ作業者がはんだ取扱作業の際に把持するグリップ部をさらに備え、
前記ケーシングは、前記グリップ部を構成する部材である
ことを特徴とするはんだ取扱装置。
【請求項９】
請求項１から８の何れか１項に記載のはんだ取扱装置において、
前記弾性部は、連結部材に一体形成された舌片である
ことを特徴とするはんだ取扱装置。
【請求項１０】
請求項１から９の何れか１項に記載のはんだ取扱装置において、
前記係合部と前記係止部との関係は、１対多であり、前記係止部は、複数の設定温度に対応する個数に設定され、且つ当該連結部材が前記軸周りに回動するときの所定角度毎に前記係合部を係止させるものである
ことを特徴とするはんだ取扱装置。
【請求項１１】
請求項１から１０の何れか１項に記載のはんだ取扱装置において、
前記ケーシングと前記連結部材との何れか一方に設けられ、前記係合部とは異なる第２の係合部と、
前記ケーシングと前記連結部材との何れか他方に設けられ、前記係合部が当該係止部から離脱している場合に前記連結部材が回動力を受けたときに前記第２の係合部が離脱することを許容した状態で、複数の設定温度に対応して、当該連結部材が前記軸回りに回動するときの所定角度毎に前記第２の係合部を係止させる第２の係止部と
を備えている
ことを特徴とするはんだ取扱装置。
【請求項１２】
請求項１１に記載のはんだ取扱装置において、
前記第２の係合部と前記第２の係止部との関係は、１対多であり、前記第２の係止部は、複数の設定温度に対応する個数に設定され、且つ当該連結部材が前記軸周りに回動するときの所定角度毎に前記第２の係合部を係止させるものである
ことを特徴とするはんだ取扱装置。
【発明の詳細な説明】
【技術分野】
【０００１】
本発明は、はんだ取扱装置に関する。
【背景技術】
【０００２】
特許文献１〜３に例示されるように、マニュアル操作ではんだを取扱う装置としては、はんだを溶融するこて先を備えたはんだこての他、はんだ除去装置や熱風噴出装置等、各種のものがある。はんだ除去装置は、既にはんだ付けされたはんだをヒータの内蔵されたノズルで再度溶融させ、さらに上記ノズルで吸引して除去する装置である。熱風噴出装置は、ヒータで加熱された熱風をはんだに当ててはんだを溶融させるもので、はんだ付けにもはんだ除去にも用いられる。本明細書では、これら発熱部（はんだこてのこて先や、或いはノズル等）を備えたはんだ取扱用の装置をはんだ取扱装置と総称し、はんだを取扱う作業をはんだ取扱作業と称する。
【０００３】
はんだ取扱作業は、適正温度で行われることが望ましいが、この適正温度は、はんだの種類、はんだ取扱装置の種類や、こて先等の大きさや形状、電子部品の耐熱温度等に応じて異なる。これに対して、従来のはんだ取扱装置の中には、そもそも設定温度を変更することができない構成のものもある。そのようなタイプのはんだ取扱装置は、工場等で同一仕様の製品に対して、同一の設定温度ではんだ取扱作業を行う場合、製品の品質維持を一定に図るために使用されてきた。
【０００４】
また、はんだの種類や加工要求に応じて個々の適正温度を得るために、設定温度を調節可能な温度制御装置を備えたはんだ取扱装置も開発されてきた。
【０００５】
ところが、目標となる設定温度が常時変更できる状態であると、はんだ取扱作業者が不適切な設定温度ではんだ取扱作業を行う虞がある。例えば、作業効率の向上を目指すあまり、作業者が設定温度を適正温度よりも高く設定する虞がある。設定温度が低いよりも高い方がはんだが溶融し易く、作業スピードが向上するからである。しかしながら、このような使用方法は、電子部品を熱損傷する等の弊害を招くので好ましくない。
【０００６】
はんだ取扱作業者が所要の目標温度から逸脱した値に設定温度を変更することを避けるために、例えば、特許文献１には、目標となる適正温度に応じた抵抗をモールドした樹脂製の着脱体を複数種類設け、この複数の着脱体から択一的に選択されたものをはんだこての回路基板に接続して、目標となる適正温度を変更することができるようにした構成が開示されている。この着脱体がないと回路がオープンになるため、はんだごてが使用できない。また、特許文献２には、可変抵抗器が制御ユニットに内蔵され、制御ユニットの外部に操作用のノブが回転自在に設けられるとともに、ノブと可変抵抗器とを連結するキー部材が着脱可能に設けられたはんだ取扱装置が開示されている。この特許文献２の構成では、ノブは、ケーシングから外側に突出する筒状の突起で形成されており、制御ユニットに対し、可変抵抗器とは相対的に回転可能となっている。そして、このはんだ取扱装置には、可変抵抗器の抵抗値設定部と、ノブとを連結するためのキー部材が備えられている。キー部材は、軸状に形成されており、このキー部材をノブの中央部に挿入することにより、ノブの回動に抵抗値設定部を連動させることが可能になっている。これにより、可変抵抗器の抵抗値を調整することができる。一方、キー部材が離脱されている状態では、ノブの動力が可変抵抗器に伝達されなくなるので、一旦設定した設定温度がロックされる。従って、特定の人（以下設定温度管理者という）のみがキー部材によってロックを解除することが可能となる。
【０００７】
なお、市場には、はんだこてを制御する制御装置に可変抵抗器が設けられた装置であって、可変抵抗器のノブをビス止めされるカバー等で被覆して、設定温度管理者のみが設定温度を変更できるようにしたはんだ取扱装置もある。
【先行技術文献】
【特許文献】
【０００８】
【特許文献１】実用新案登録第３００３２０６号公報
【特許文献２】特表２００８／１３９６２３号公報
【特許文献３】特表２００６／０７７６１８号公報
【発明の概要】
【発明が解決しようとする課題】
【０００９】
はんだ取扱装置の汎用性を高め、事業として工場等で使用するものの他、家庭的な利用にも好適に供するようにするためには、設定温度を容易に調整することができ、しかも、必要に応じて設定温度調整機能を確実にロックすることができることが要請される。
【００１０】
この点、特許文献１の構成では、複数種類の着脱体を管理する必要があるので、管理コストが高くなり、しかも、設定温度毎に着脱体を設ける必要があるので、製品のコストも高くなる。そのため、個人が使用する場合は、もちろん、工場等で使用する場合でも、着脱体の管理が煩雑になるという不具合があった。
【００１１】
一方、特許文献２の構成では、キー部材の操作のみで、可変抵抗器の調整機能をロックしたり、ロック解除したりすることができるので、設定温度調整作業の簡便性に優れ、より多様なニーズに応えることができるという利点がある。しかしながら、特許文献２のはんだ取扱装置では、軸状のキー部材を用いて、ノブと可変抵抗器の抵抗値設定部とを接続する構成であるために、ケーシングから外側に突出するノブと可変抵抗器の抵抗値設定部とを同軸に配置する必要がある。このため、ノブが軸方向に沿ってケーシングの外側に長く出っ張ってしまっていた。
【００１２】
さらに、ノブをカバー等で被覆する構成では、確実なロック機能を奏することができる反面、設定温度の調整時には、カバーの着脱作業が繁雑となり、設定温度の調整が必要なときに、調整作業が煩わしくなるという問題があった。
【００１３】
本発明は、前記事情に鑑み、出っ張りや余分な部材が不要な形態で温度調整機能を発揮することができ、しかも必要に応じて信頼性の高い温度ロック機能を奏することのできるはんだ取扱装置を提供することを課題としている。
【課題を解決するための手段】
【００１４】
前記課題を解決するため、本発明は、発熱部を備えたはんだ取扱装置において、前記発熱部の設定温度を変更可能な可変抵抗器と、前記可変抵抗器を収容するケーシングと、前記ケーシングの内部で前記可変抵抗器に連結され、且つ所定の軸回りに回動する当該可変抵抗器の抵抗値を調整可能な連結部材と、前記ケーシングの外部から前記連結部材に対し着脱自在に取り付けられ、且つ前記連結部材を介して前記ケーシングの外部から前記可変抵抗器を操作可能な操作部材と、前記連結部材と前記ケーシングの何れか一方に設けられた係合部と、前記連結部材と前記ケーシングの何れか他方に設けられ、前記係合部を係止させる係止部と、弾性変形可能に設けられ、且つ自由状態においては、前記係合部を前記係止部に係止させて設定温度に応じた前記軸回りの角度に当該連結部材をロックする弾性部とを備え、前記操作部材は、当該操作部材が前記連結部材に取り付けられているときに前記弾性部を前記ケーシングの外側から内側へ押し込んで弾性変形させることにより、前記係合部を前記係止部から離脱させてロックを解除するものである。
また、本発明の別の態様は、発熱部を備えたはんだ取扱装置において、前記発熱部の設定温度を変更可能な可変抵抗器と、前記可変抵抗器を収容するケーシングと、前記ケーシングの内部で前記可変抵抗器に連結され、且つ所定の軸回りに回動する当該可変抵抗器の抵抗値を調整可能な連結部材と、前記連結部材を介して前記ケーシングの外部から前記可変抵抗器を操作可能な操作部材と、前記連結部材と前記ケーシングの何れか一方に設けられた係合部と、前記連結部材と前記ケーシングの何れか他方に設けられ、前記係合部を係止させる係止部と、弾性変形可能に設けられ、且つ自由状態においては、前記係合部を前記係止部に係止させて設定温度に応じた前記軸回りの角度に当該連結部材をロックする弾性部とを備え、前記操作部材は、前記弾性部を自由状態に維持する位置と前記弾性部が前記係止部から離脱する状態に押し込む位置との間で相対的に変位可能に前記連結部材に連結されており、前記操作部材は、当該操作部材が押し込まれているときに前記弾性部を前記ケーシングの外側から内側へ押し込んで弾性変形させることにより、前記係合部を前記係止部から離脱させてロックを解除するものである。
本発明の各態様では、可変抵抗器を用いることにより、最小限の部品点数で温度調整を行うことができる。従って、複数の抵抗素子から一つの抵抗素子を選んで取り替えるはんだ取扱装置に比べ、簡便性の高い設定温度調整機能を維持することができる。しかも、可変抵抗器を操作する連結部材は、可変抵抗器を収容するケーシングに内蔵されるので、部品が徒にケーシングの外側に出っ張り、はんだ取扱作業のじゃまになることもない。加えて、設定温度に応じた前記軸回りの角度に当該連結部材をロックする機構として、係合部、係止部、並びに弾性部を設けているので、特別なカバー等を設けることなく、ケーシング内部でのロック状態を保証し、信頼性の高い温度ロック機能を実現することができる。ここで、弾性部は、自由状態では、連結部材のロック状態を維持する一方、このロックを解除するためには、積極的に（或いは意識的に）弾性部をケーシングの外側から内側へ押し込む必要がある。従って、温度ロック機能の信頼性を確保することが可能となる。一方、押し込み動作によって、ロック状態を容易に解除することができるので、特殊な保護カバーで調整ノブ等を被覆するはんだ取扱装置に比べ、設定温度調整作業の簡便性を高く維持することができるので、家庭用のはんだ取扱装置としても充分に市場のニーズに応えることが可能となる。
【００１５】
好ましい態様のはんだ取扱装置において、特定形状の部材のみ前記ケーシングの外側から前記弾性部の押し込み動作を許容する鍵受け部をさらに備えている。この態様では、特定形状の部材のみ弾性部の押し込み動作を許容する鍵受け部が形成されているので、通常は、外部から徒に弾性部を操作し、押し込むことができなくなる。その結果、温度設定管理者のあずかり知らないところで、作業者が勝手にロックを解除することを防止することができる。従って、この点からも温度ロック機能の信頼性を確保することが可能となる。一方、鍵受け部が許容する特定形状の部材を用いれば、ロック状態を容易に解除することができるので、特殊な保護カバーで調整ノブ等を被覆するはんだ取扱装置に比べ、設定温度調整作業の簡便性を高く維持することができるので、家庭用のはんだ取扱装置としても充分に市場のニーズに応えることが可能となる。
【００１６】
好ましい態様のはんだ取扱装置において、前記鍵受け部は、前記連結部材に設けられたボス部に形成され、前記特定形状の部材のみ受入可能な複数の切欠を備えている。この態様では、簡単な成形技術で容易に鍵受け部を形成することができる。
【００１７】
好ましい態様のはんだ取扱装置において、前記特定形状の部材は、前記鍵受け部を介して前記弾性部を前記ケーシングに対する係止状態から離脱状態に押し込み可能なキー突起である。この態様では、特定形状の部材を含む操作部材をケーシングの外側から温度ロックを解除する温度ロック解除用のキーとしてユーザに提供することができる。そのため、本発明のはんだ取扱装置を温度ロック機能付の商品として実施するに当たり、はんだ取扱作業者自身が温度ロックを解除することのできる製品として、はんだ取扱装置を販売、流通させることが可能になる。
【００１８】
好ましい態様のはんだ取扱装置において、前記操作部材は、前記ケーシングの外側から前記連結部材に対して着脱可能に取り付けられるノブである。この態様では、キー突起を有するノブをケーシングの外側から連結部材に取り付けることができるので、温度ロックが不要な場合には、ノブを連結部材に取り付けておけばよい。従って、より温度調整を簡易にすることができる。
【００１９】
好ましい態様のはんだ取扱装置において、前記ノブは、前記係合部が前記係止部から離脱するように前記キー突起が前記弾性部を押し込んでいる状態で前記連結部材に固定されている。この態様では、係合部が係止部から離脱されたままの状態になっているので、ノブの操作が容易になり、設定温度調整作業の簡便性を一層高めることが可能になる。
【００２０】
好ましい態様のはんだ取扱装置において、前記発熱部が設けられ、且つ作業者がはんだ取扱作業の際に把持するグリップ部をさらに備え、前記ケーシングは、前記グリップ部を構成する部材である。この態様では、制御ユニットのない廉価なはんだ取扱装置においても、温度調整、並びに温度ロックを上記の通り実現することができ、簡便性、信頼性の高い低廉な商品を提供することができる。
【００２１】
好ましい態様のはんだ取扱装置において、前記弾性部は、連結部材に一体形成された舌片である。この態様では、より廉価に製品を製造することができる。
【００２２】
好ましい態様のはんだ取扱装置において、前記係合部と前記係止部との関係は、１対多であり、前記係止部は、複数の設定温度に対応する個数に設定され、且つ当該連結部材が前記軸周りに回動するときの所定角度毎に前記係合部を係止させるものである。この態様では、複数の設定温度に対応して係合部の位置決めが容易になるので、当該設定温度に対応する所定角度毎に連結部材を確実に係止することができる。
【００２３】
好ましい態様のはんだ取扱装置において、前記ケーシングと前記連結部材との何れか一方に設けられ、前記係合部とは異なる第２の係合部と、前記ケーシングと前記連結部材との何れか他方に設けられ、前記係合部が当該係止部から離脱している場合に前記連結部材が回動力を受けたときに前記第２の係合部が離脱することを許容した状態で、複数の設定温度に対応して、当該連結部材が前記軸回りに回動するときの所定角度毎に前記第２の係合部を係止させる第２の係止部とを備えている。この態様では、連結部材を回動して可変抵抗器の抵抗値を変更する際、ケーシングと連結部材の何れか一方に形成された係止部に対し、ケーシングと連結部材の何れか他方に形成された第２の係合部が係脱する。そのため、係止部に対して第２の係合部が係脱するときの感触により、操作者が設定値の変更を感知することができ、設定温度調整作業の簡便性が高くなる。
【００２４】
好ましい態様のはんだ取扱装置において、前記第２の係合部と前記第２の係止部との関係は、１対多であり、前記第２の係止部は、複数の設定温度に対応する個数に設定され、且つ当該連結部材が前記軸周りに回動するときの所定角度毎に前記第２の係合部を係止させるものである。この態様では、第２の係合部と第２の係止部との関係においても、複数の設定温度に対応して係合部の位置決めが容易になるので、操作性が向上する。
【発明の効果】
【００２５】
以上説明したように、本発明によれば、出っ張りや余分な部材が不要な形態で温度調整機能を発揮することができ、しかも必要に応じて信頼性の高い温度ロック機能を奏することができるという顕著な効果を奏する。
【図面の簡単な説明】
【００２６】
【図１】本発明の実施の一形態に係るはんだ取扱装置としてのはんだごての斜視図である。
【図２】図１の実施形態に係る要部を示す上部側からの分解斜視図である。
【図３】図１の実施形態に係る要部を示す底部側からの分解斜視図である。
【図４】図１の実施形態に係る内ケーシングの内壁部分を示す部分拡大図である。
【図５】図１の実施形態に係る要部を示す断面略図である。
【図６】図１の実施形態に係る温度設定部分の要部を示す拡大図である。
【図７】図１の実施形態に係る温度設定部分にノブを付けた状態を示す拡大図である。
【図８】図１の実施形態に係る温度設定部分にノブを付けた状態を示す断面略図である。
【図９】図１の実施形態に係る温度設定部分をロック解除キーで操作する状態を示す説明図である。
【図１０】本発明の別の実施形態に係るはんだ取扱装置の斜視図である。
【図１１】本発明のさらに別の実施形態に係る図８に対応した断面略図である。
【発明を実施するための形態】
【００２７】
まず、図１を参照して、本発明の実施形態に係るはんだ取扱装置としてのはんだこて１について説明する。
【００２８】
はんだこて１は、グリップ部２と、グリップ部２の基端部から延びる電源コード３と、グリップ部２の先端部から延びる発熱部としてのこて先４と、こて先４の温度調整をする温度調整機構ＴＡと、グリップ部２の適所に設けられた電源ランプ５６と、校正用ツマミ５７とを備えている。
【００２９】
グリップ部２は、全体として丸みのある筒状に形成されている。図示のグリップ部２は、制御回路等を内蔵する内ケーシング５と、内ケーシング５を外装する外ケーシング６とを備えた二層構造になっている（図８参照）。本実施形態において、これら内ケーシング５および外ケーシング６は、本発明のケーシングを構成している。内ケーシング５は、後述する可変抵抗器７を収容している。グリップ部２の先端側は、断熱用の大径部２ａが同心に形成されており、こて先４は、この大径部２ａの先端からグリップ部２の前方に突出している。
【００３０】
具体的には図示していないが、本実施形態におけるはんだこて１は、こて先４を加熱する加熱ヒータが設けられており、加熱ヒータは、内ケーシング５に内蔵される基板に設けられた制御回路によって制御される構成になっている。本実施形態において、こて先４は、はんだを溶融する発熱部の一例である。こて先４には、図略の温度センサが内蔵されている。
【００３１】
電源ランプ５６は、電源コード３から制御回路に給電されたときに点灯するＬＥＤランプである。
【００３２】
校正用ツマミ５７は、制御回路に組み込まれた回路構成等に基づいて、表示設定温度と制御対象の実際の温度とのズレを補正するため操作される。
【００３３】
図示の例において、制御回路の温度調整機構ＴＡは、グリップ部２に内蔵されており、温度センサが検出したこて先４の温度または温度関連情報（電圧等）を検知し、こて先４の温度を調整制御するものである。温度調整機構ＴＡは、温度調整を行えるように、グリップ部２に取り付けられたノブ２０を備えている。ユーザは、ノブ２０を操作して予めこて先４の目標温度を決定する。制御回路は、温度センサから伝達された温度又は温度関連情報と設定された目標温度（設定温度）とを照合し、こて先４の温度が設定温度に収束するようにはんだこて１に供給する電力を調節する。
【００３４】
制御回路の温度調整機構ＴＡは、ノブ２０によって操作される可変抵抗器７（図２参照）を含んでいる。
【００３５】
図２を参照して、可変抵抗器７は、抵抗体パターンが設けられた抵抗基板を含む本体７ａと、本体７ａの上部に回動可能に取り付けられた回動操作部材７ｂとを備えている。本体７ａには、端子７ｃが例えば２つ設けられており、この端子７ｃが内ケーシング５内の制御回路に接続されている。回動操作部材７ｂは、外部から回転操作力を受けることにより、本体７ａ上で所定の軸（図示の例では、図２の鉛直軸）ＡＸを中心に所定角度だけ双方向に回動することができるようになっている。この回動操作部材７ｂには、本体７ａの抵抗体パターンと摺接する摺動子が設けられており、摺動子の摺接位置が回動操作部材７ｂの軸ＡＸを中心とする角度（以下、「軸回りの角度」という）によって変化し、本体７ａの抵抗値が変更さるようになっている。図示の例では、回動操作部材７ｂの上部に、十
字状の孔７ｄが形成されており、この孔７ｄに嵌合する部材によって、回転力を受けるようになっている。尤も、可変抵抗器７としては、図２に示す例に限らず、例えば、軸状の操作用部材を備えている形態のものであってもよい。
【００３６】
可変抵抗器７を操作するため、本実施形態においては、ノブ下部材１０が設けられている。ノブ下部材１０は、本発明の連結部材と弾性部としての舌片１０ｇとを一体的に備えた部品である。
【００３７】
図２及び図３を参照して、連結部材は、ノブ下部材１０のうち、円盤状の本体１０ａと、本体１０ａの底面に形成された着座部１０ｂと、着座部１０ｂから突出する連結突起１０ｃと、本体１０ａの上面に形成されたボス部１０ｄとを備えた構成になっている。着座部１０ｂは、本体１０ａに対して同心に形成され、下方に僅かに膨出する円盤状の部位である。本実施形態では、着座部１０ｂが可変抵抗器７の回動操作部材７ｂに着座するように構成されている。しかし、別の実施形態においては、着座部１０ｂを省略してもよい。
【００３８】
連結突起１０ｃは、回動操作部材７ｂの孔７ｄの十字形状に適合して十字状に形成されている。連結突起１０ｃは、着座部１０ｂを可変抵抗器７の回動操作部材７ｂに着座させる際、孔７ｄに嵌合する。これにより、ノブ下部材１０は、可変抵抗器７の回動操作部材７ｂと一体化される。従って、回動操作部材７ｂの回動範囲内において、ノブ下部材１０の軸回りの角度を変更することにより、可変抵抗器７の抵抗値を変更することが可能になる。
【００３９】
ボス部１０ｄは、本体１０ａと同心に形成されており、本体１０ａの上部から上方に突出している。ボス部１０ｄには、当該ボス部１０ｄの一直径方向に沿って対向して対をなし、それぞれ径方向途中部から径方向に外方に向かって開く第１のキー溝１０ｅと、第２のキー溝１０ｆとが形成されている。各キー溝１０ｅ、１０ｆは、詳しくは後述するように、本発明における鍵受け部の一例である。
【００４０】
連結部材には、第１のキー溝１０ｅから径方向外方に外側に延びる開口が形成されている。開口内には、当該開口の輪郭に沿って本体１０ａの径方向に延びる舌片１０ｇが設けられている。舌片１０ｇは、本体１０ａの径方向内方側の端部が当該ボス部１０ｄと一体に形成されている一方、本体１０ａの径方向外方側の端部が自由状態になった片持ち状に支持されている。本実施形態において、舌片１０ｇは、本発明における弾性部の一例である。舌片１０ｇは、以下に説明するように、設定温度に応じた軸回りの角度にノブ下部材１０をロックする機構を構成するものである。
【００４１】
舌片１０ｇは、弾性変形可能に設けられ、且つ自由状態においては、図５に示すように、本体１０ａと面一になって、ボス部１０ｄの上記一直径方向に沿って延びている。また、詳しくは後述する操作部材（ノブ２０、温度調整用ハンドル４０等）を用いて、第１のキー溝１０ｅから舌片１０ｇを本体１０ａの軸方向に押し込むことにより、舌片１０ｇは、弾性的に変形して、本体１０ａの径方向外方に位置する自由端部分が下方に撓み得るようになっている。舌片１０ｇの自由端上部には、突起１０ｈが設けられている。本実施形態において、突起１０ｈは、本発明における係合部の一例である。突起１０ｈは、舌片１０ｇが自由状態にあるときは、本体１０ａの上方に突出する。一方、舌片１０ｇが下方に押し込まれている（撓んでいる）ときは、本体１０ａに形成された溝内に陥没し得る諸元になっている。
【００４２】
図４及び図５を参照して、連結部材が内ケーシング５内の可変抵抗器７に組み付けられた状態において、突起１０ｈは、内ケーシング５の内壁に形成された複数の凹部５ａの何れか一つに嵌合し、係止する。本実施形態において、凹部５ａは、本発明の係止部の一例である。凹部５ａは、回動操作部材７ｂの軸ＡＸを中心とする円周上に例えば、８個、３０°おきに配設されて形成されている。突起１０ｈは、当該回動操作部材７ｂの全回動範囲において、何れかの凹部５ａに対し、択一的に嵌合する。突起１０ｈが凹部５ａに嵌合している状態では、ノブ下部材１０の回動が規制されるので、ノブ下部材１０と一体化された回動操作部材７ｂも、可変抵抗器７の本体７ａに対してロックされることになる。つまり、突起１０ｈが凹部５ａに嵌合することにより、設定温度を固定化することができる（温度ロック機能）。また、突起１０ｈが設けられている舌片１０ｇが下方に撓み得る弾性部材であるため、突起１０ｈは、舌片１０ｇが撓むことにより、凹部５ａから離脱する。この舌片１０ｇの離脱により、ノブ下部材１０は、自由状態となり、回動操作部材７ｂの回動範囲において、周方向双方向に回動可能となる。
【００４３】
図２〜図５を参照して、本体１０ａの外周部には、当該本体１０ａの直径方向において、舌片１０ｇと対向する位置に、径方向外方に突出する突出片１０ｉが形成されている。突出片１０ｉは、その両側に形成されたスリットにより、本体１０ａの軸方向に沿う力を受けることによって撓むことができる。つまり、突出片１０ｉは、可撓性を備えている。突出片１０ｉの上面には、六角形に突出する六角突起１０ｊが形成されている。本実施形態において、六角突起１０ｊは、本発明の第２の係合部の一例である。一方、内ケーシング５の内壁には、各凹部５ａに１対１で対応する六角穴５ｂが形成されている。六角穴５ｂは、対応する凹部５ａに対し、内ケーシング５内に固定されている可変抵抗器７の回動操作部材７ｂの回転中心を挟んで対向しており、当該凹部５ａに突起１０ｈが嵌合しているときに、六角突起１０ｊが六角穴５ｂに入り込むようになっている。本実施形態において、六角穴５ｂは、本発明の第２の係止部の一例である。ここで、六角突起１０ｊと六角穴５ｂの係合状態は、以下のような係脱が可能な諸元に設定されている。すなわち、突起１０ｈが凹部５ａから離脱してノブ下部材１０が自由に回動可能な状態にあるときにノブ下部材１０が回動した場合、六角突起１０ｊが周方向の力を受けて突出片１０ｉに力を伝達し、突出片１０ｉが撓む。この突出片１０ｉの撓みにより、六角突起１０ｊが今ある六角穴５ｂから離脱する。その後、突出片１０ｉが元の状態に戻ろうとする力を受けて、内ケーシング５の内壁に押し付けられながら回動し、突起１０ｈが次の凹部５ａに嵌合した際に、進行方向に隣接する別の六角穴５ｂに再度入り込む。本実施形態では、六角突起１０ｊと六角穴５ｂとが上述のような係脱動作をするように構成されているので、この係脱動作の時に、作業者は、六角突起１０ｊが六角穴５ｂに対して係脱する「カチッ、カチッ」とした感触を受けるので、この温度を変更するときの動作感で、突起１０ｈと凹部５ａとの係脱状態を感知しやすくなり、設定温度調整作業の簡便性が向上する。また、突起１０ｈと凹部５ａとが離脱しても、六角突起１０ｊが六角穴５ｂに入り込んだ状態は維持されるので、ノブ下部材１０が徒に回動しなくなり、この点からも設定温度調整作業の簡便性が向上する。
【００４４】
さらに、内ケーシング５の内壁には、当該内ケーシング５内に組み付けられたノブ下部材１０の外周面を受ける円弧状のリブ５ｃが形成されている。リブ５ｃの両端壁は、ノブ下部材１０の回動時に突出片１０ｉがリブ５ｃの端壁に当接することにより、ノブ下部材１０の回動量が規定されるようになっている。
【００４５】
内ケーシング５の適所には、ノブ下部材１０のボス部１０ｄを回動可能に挿通する開口部５ｄが形成されている。開口部５ｄは、ボス部１０ｄを挿通するのに必要充分な直径に設定されている。そのため、開口部５ｄからは、ボス部１０ｄのみが露出した状態になっている。本実施形態において、ボス部１０ｄの上面は、開口部５ｄの上面から、僅かに低くなっている。なお、図示の実施形態において、内ケーシング５の内壁には、開口部５ｄと同心に薄肉（軸方向の高さが低い）の薄肉部５ｅが形成されており、この薄肉部５ｅに、上記凹部５ａ、５ｂ並びにリブ５ｃが形成されている。図示の例では、薄肉部５ｅは、内ケーシング５と一体形成されているものであるが、凹部５ａ、５ｂやリブ５ｃを備えた
ボス部を別部材で形成し、内ケーシング５に固定するようにしてもよい。
【００４６】
図５及び図６を参照して、グリップ部２の外ケーシング６には、開口部５ｄと同心に開く装着口６ａが形成されている。装着口６ａは、ノブ下部材１０に取り付けられるノブ２０を挿通させるための開口である。装着口６ａの周囲には、内ケーシング５の内壁に形成された凹部５ａ（従って、ノブ下部材１０の上記軸回りの角度）に対応して、可変抵抗器７による設定温度を表示するマーク６ｂが印刷または刻印されている。マーク６ｂは、設定温度を示す数値や、ノブ２０の上記軸回りの角度を合わせるための印で具体化されている。そのため、作業者は、ノブ２０に設けられるマーク２０ａを外ケーシング６のマーク６ｂに合わせることにより、設定温度に応じた上記軸回りの角度に当該ノブ下部材１０を回動し、こて先４が所望の設定温度になるように可変抵抗器７の抵抗値を変更することができるようになっている。
【００４７】
ノブ２０は、連結部材に着脱可能に取り付けられる操作部材の一例である。本実施形態では、ノブ２０は、連結部材の一部であるノブ下部材１０（より具体的には、ボス部１０ｄの上部）に着脱自在に取り付けられている。
【００４８】
図２、図３、図７、並びに図８を参照して、ノブ２０は、上面が丸く面取りされて、上記マーク２０ａが刻印された円盤状のノブ本体２１を有している。本実施形態において、ノブ本体２１の中央には、当該ノブ本体２１と同心に形成される挿通孔２５が形成されている。一方、ノブ下部材１０のボス部１０ｄには、中心軸と同心にねじ孔１０ｋが形成されている。そして、ノブ本体２１の上部からノブ２０の挿通孔２５を挿通するねじ３０をねじ孔１０ｋに螺合することにより、ノブ２０は、ノブ下部材１０に対し、同心に取り付けられる。図示の例において、ねじ３０は、スタッドピン状の六角孔ボルトで具体化されている。
【００４９】
ノブ本体２１の底面には、第１のキー突起２２と、この第１のキー突起２２に対し、ノブ本体２１の直径方向に対向する第２のキー突起２３とが一体に形成されている。図８に示すように、第１のキー突起２２は、ノブ２０を連結部材に取り付ける際に、第１のキー溝１０ｅ内に嵌入し、舌片１０ｇを下方に押し下げる諸元に設定されている。ノブ２０の第１のキー突起２２は、特定形状の部材の一例である。また、第２のキー突起２３は、第２のキー溝１０ｆに嵌入する諸元に設定されている。第１のキー突起２２が舌片１０ｇを押し下げているので、ノブ下部材１０は、回動可能になっている。また、両キー突起２２、２３が対応するキー溝１０ｅ、１０ｆに嵌入しているので、ノブ本体２１の回転駆動力は、連結部材の一部であるボス部１０ｄを介してノブ下部材１０に伝達され、ノブ下部材１０と一体化された回動操作部材７ｂに伝達されることになる。これにより、ノブ２０を回動して、可変抵抗器７の抵抗値を変更することが可能になる。図示の例では、第１のキー溝１０ｅの開口面積を第２のキー溝１０ｆの開口面積よりも大きく設定する一方、第１のキー突起２２の断面積を第２のキー突起２３の断面積よりも大きく設定することによって、第１のキー突起２２が必ず第１のキー溝１０ｅに嵌合するように、フールプルーフ機能を持たせている。
【００５０】
なお、本実施形態では、ノブ本体２１の底面に円柱部２４が形成されており、上述した第１のキー突起２２及び第２のキー突起２３は、この円柱部２４の底面から下方に垂下している。円柱部２４は、ノブ下部材１０のボス部１０ｄと同一直径に設定されている。ノブ２０が連結部材に固定される際、円柱部２４の下端部は、内ケーシング５の開口部５ｄの上部に嵌り込んで、ボス部１０ｄの上面に接合する。この結果、開口部５ｄが円柱部２４の軸受として機能し、ノブ２０の姿勢が安定する。
【００５１】
ノブ本体２１の外周には、当該ノブ本体２１の軸方向に沿って延びるリブ２１ａが形成されており、このリブ２１ａによって、ノブ２０を把持するときの滑りを防止するようにしている。
【００５２】
本実施形態では、可変抵抗器７を用いることにより、最小限の部品点数で温度調整を行うことができる。従って、特許文献１に開示されている従来のはんだ取扱装置のように、複数の抵抗素子から一つの抵抗素子を選んで取り替える構成に比べ、簡便性の高い設定温度調整機能を維持することができる。しかも、可変抵抗器７を操作する連結部材（ノブ下部材１０のうち、少なくとも本体１０ａ、連結突起１０ｃ、ボス部１０ｄ）は、可変抵抗器７を収容するケーシング５に内蔵されたノブ下部材１０によって具体化されているので、部品が徒にケーシング５の外側に出っ張り、はんだ取扱作業のじゃまになることもない。加えて、設定温度に応じた軸回りの角度に当該連結部材をロックする機構として、突起１０ｈ、凹部５ａ、並びに舌片１０ｇを設けているので、特別なカバー等を設けることなく、ケーシングの一部を構成する内ケーシング５の内部でのロック状態を保証し、信頼性の高い温度ロック機能を実現することができる。ここで、舌片１０ｇは、自由状態では、連結部材のロック状態を維持する一方、ケーシング５の外側から内側へ押し込まれて弾性変形することにより、ロック状態を解除するように構成されているのであるが、本実施形態では、特定形状の部材のみ舌片１０ｇの押し込み動作を許容する第１のキー溝１０ｅが形成されているので、通常は、外部から徒に舌片１０ｇを操作し、押し込むことができなくなる。その結果、温度設定管理者のあずかり知らないところで、作業者が勝手にロックを解除することを防止することができる。従って、温度ロック機能の信頼性を確保することが可能となる。一方、第１のキー溝１０ｅが許容する特定形状の部材（例えば、ノブ２０の第１のキー突起２２）を用いれば、ロック状態を容易に解除することができるので、市場で流通している従来のはんだ取扱装置のように、特殊な保護カバーで調整ノブ等を被覆する構成に比べ、設定温度調整作業の簡便性を高く維持することができる。従って、家庭用のはんだ取扱装置としても充分に市場のニーズに応えることが可能となる。
【００５３】
また、本実施形態にかかるはんだ取扱装置は、作業者がはんだ取扱作業の際に把持するグリップ部２をさらに備えており、ケーシング５は、このグリップ部２を構成する部材である。このため本実施形態では、制御ユニットのない廉価なはんだこて１においても、温度調整、並びに温度ロックを上記の通り実現することができ、簡便性、信頼性の高い低廉な商品を提供することができる。
【００５４】
また、本実施形態において、舌片１０ｇは、連結部材（具体的には、連結部材の一部を構成する本体１０ａ）に一体形成されている。このため本実施形態では、より廉価に製品を製造することができる。
【００５５】
また、本実施形態において、鍵受け部は、連結部材に設けられたボス部１０ｄに形成され、特定形状の部材のみ受入可能な第１のキー溝１０ｅを備えている。このため本実施形態では、簡単な成形技術で容易に第１のキー溝１０ｅを形成することができる。
【００５６】
また、本実施形態において、突起１０ｈと凹部５ａとの関係は、１対多（図示の例では、１：８）であり、凹部５ａは、複数の設定温度に対応する個数に設定されている。これとともに凹部５ａは、連結部材が軸周りに回動するときの所定角度毎に突起１０ｈを係止させる位置に形成されている。このため本実施形態では、複数の設定温度に対応して突起１０ｈの位置決めが容易になるので、当該設定温度に対応する所定角度毎に連結部材を確実に係止することができる。設定温度の個数は、８個に限らず、６個でも１０個でもその他の数であってもよい。
【００５７】
また、本実施形態において、連結部材の一部である本体１０ａは、突起１０ｈとは異なる第２の係合部としての第２の突起１０ｊを備えている。一方、ケーシング５は、第２の
突起１０ｊを受ける第２の係止部としての六角穴５ｂを備えている。この六角穴５ｂは、複数の設定温度に対応して、当該連結部材が軸回りに回動するときの所定角度毎に設けられている。また、六角穴５ｂは、本体１０ａが回動力を受けたときに第２の突起１０ｊが離脱することを許容した状態で、第２の突起１０ｊを受けている。このため本実施形態では、本体１０ａを回動して可変抵抗器７の抵抗値を変更する際、ケーシング５に形成された六角穴５ｂに対し、連結部材に形成された第２の突起１０ｊが係脱する。その結果、第２の突起１０ｊが六角穴５ｂに対して係脱するときの「カチッ、カチッ」という感触により、操作者が設定値の変更を感知することができ、設定温度調整作業の簡便性が高くなる。
【００５８】
また、本実施形態においては、六角突起１０ｊと六角穴５ｂとの関係は、１対多（図示の例では、１：８）であり、六角穴５ｂは、複数の設定温度に対応する個数に設定されている。また、六角穴５ｂは、当該連結部材が軸周りに回動するときの所定角度毎に六角突起１０ｊを係止させる位置に形成されている。このため本実施形態では、六角突起１０ｊと六角穴５ｂとの関係においても、複数の設定温度に対応して突起１０ｈの位置決めが容易になるので、操作性が向上する。設定温度の個数は、８個に限らず、６個でも１０個でもその他の数であってもよい。
【００５９】
また、本実施形態においては、特定形状の部材の一例として、ノブ２０に設けられた第１のキー突起２２を備えている。ノブ２０は、本体２１と、本体２１に対して一体形成された第１、第２のキー突起２２、２３を備えている。第１、第２のキー突起２２、２３は、第１、第２のキー溝１０ｅ、１０ｆを介して連結部材に取り付けられており、第１のキー突起２２は、舌片１０ｇをケーシング５に対する係止状態から離脱状態に押し込んでいる。このため本実施形態では、第１のキー突起２２を有するノブ２０をケーシング５の外側から連結部材に取り付けることができるので、温度ロックが不要な場合には、ノブ２０を連結部材に取り付けておけばよい。従って、より簡便に温度を調整することができる。
【００６０】
また、本実施形態において、ノブ２０は、突起１０ｈが凹部５ａから離脱するように第１のキー突起２２が舌片１０ｇを押し込んでいる状態で連結部材に固定されている。このため本実施形態では、ノブ２０を取り付けたときの設定温度調整作業が一層簡便になる。
【００６１】
ところで、本実施形態に係るはんだこて１を製品として具体化するに当たり、個人ユーザ向けにはんだこてを販売する場合には、図１に示したようにノブ２０が連結部材に固定されているはんだこて１を設定温度調整機能付の商品として販売すればよい。
【００６２】
これに対して、工場等の業務用にはんだこてを販売する場合には、ノブ２０が取り外されたはんだこて１を設定温度が固定された仕様の商品として販売すればよい。
【００６３】
このように、本実施形態では、ノブ２０の有無だけで、同一仕様のはんだこて１を業務用にも一般家庭用にも販売することが可能になる。
【００６４】
また、図９に示すような温度調整用ハンドル４０を別売りまたはセット販売にしてもよい。温度調整用ハンドル４０は、本発明における操作部材の別の例である。
【００６５】
図９を参照して、温度調整用ハンドル４０は、第１、第２のキー突起２２、２３と同一仕様の第１の突起４１と、第２の突起４２とが突出する円板状の本体部４３に、棒状の取っ手４４を一体に備えたものである。このような温度調整用ハンドル４０を用いれば、容易に舌片１０ｇを押し下げて、ノブ下部材１０のロック状態を解除し、温度設定を調整することが可能となる。このような温度調整用ハンドル４０を所定の設定温度監督者のみが使用できるように運用することにより、通常の作業者は、はんだこて１を設定温度が固定
されたはんだこてとして使用し、はんだ付け作業の対象となる製品の仕様に応じて設定温度監督者のみが必要な温度調整をすることが可能になる。
【００６６】
このように本実施形態によれば、出っ張りや余分な部材が不要な形態で温度調整機能を発揮することができ、しかも必要に応じて信頼性の高い温度ロック機能を奏することができるという顕著な効果を奏する。
【００６７】
上述した実施形態は、本発明の好ましい具体例を例示したものに過ぎず、本発明は、上述した実施形態に限定されない。
【００６８】
例えば、上述した実施形態に係るはんだこてのケーシングは、上述した例に限らず、例えば、内ケーシングと外ケーシングが単一部材で表裏一体に構成されていてもよい。
【００６９】
また、上述した実施形態では、はんだ取扱装置としてはんだこて１を例示したものであるが、本発明に係るはんだ取扱装置としては、はんだこて１に限らず、はんだ除去装置や、はんだ加熱用熱風噴出装置等であってもよい。
【００７０】
また、上述した実施形態では、可変抵抗器７をはんだこて１のグリップ部２に内蔵し、グリップ部２を構成する内ケーシング５を本発明のケーシングとしているが、本発明のケーシングは、はんだこて１とは別個に設けられた制御ユニットを構成するものであってもよい。
【００７１】
例えば、図１０に示すはんだ取扱装置は、可変抵抗器のないはんだこて１と、このはんだこて１の温度設定等を制御する制御ユニット５０とを備えている。
【００７２】
制御ユニット５０は、これに接続されるはんだこて１とともに用いられ、はんだこて１に内蔵される加熱ヒータの温度制御を行うものである。はんだこて１は、適宜はんだ除去装置や、はんだ加熱用熱風噴出装置等に交換することができる。制御ユニット５０は、略直方体のケーシング５１を備えている。ケーシング５１は、前面を覆い、且つ制御回路を内側に担持するフロントパネル５２と、背面及び底面を含む側面を覆う２枚のサイドパネル５３とで構成される。図示の例において、ケーシング５１（特にフロントパネル５２）は、本発明におけるケーシングの別の例である。ケーシング５１の頂部には、電源スイッチ５４が設けられている。またケーシング５１の背面からは、図略の電源コードが導出されている。フロントパネル５２の下部には、はんだこて１を接続するソケット５５が取り付けられている。ソケット５５には、はんだこて１の電源コード３の端末に設けられたプラグ８が接続されるようになっている。そして、制御回路は、プラグ８を介してはんだこて１の加熱ヒータ等と電気的に接続され、こて先４の温度制御を行うようになっている。また、ソケット５５の真上には、給電時に点灯する電源ランプ５６が取り付けられている。
【００７３】
そして、この電源ランプ５６の真上には、上述した温度調整機構ＴＡと原理的に同一の温度調整機構ＴＡが設けられて、ノブ２０が取り付けられている。従って、図１０に示す実施形態においても、このノブ２０を回すことにより、容易に温度調整を実行することができるとともに、ノブ２０を取り外すことにより、設定温度をロックし、所定の設定温度管理者のみが、設定温度を変更することができるようになっている。
【００７４】
上述した各実施形態では、ノブ２０をねじ３０で締め付けることにより、ノブ２０に設けられた第１のキー突起２２が舌片１０ｇを押し下げる構成になっていたが、本発明は、そのような実施形態に限定されない。
【００７５】
例えば、図１１に示すように、第１、第２のキー突起２２、２３が舌片１０ｇを自由状態に維持する位置と舌片１０ｇを離脱状態に押し込む位置との間で相対的に変位可能に連結されていてもよい。
【００７６】
図１１を参照して、同図に示す例では、ノブ下部材１０とノブ２０との間にコイルばね等の弾性部材６０を介装し、第１、第２のキー突起２２、２３が舌片１０ｇを自由状態に維持する位置に弾性部材６０がノブ２０を付勢している。そのため、図１１に示す実施形態では、まず、ノブ２０を押し込んで、舌片１０ｇを押下なければ、ノブ下部材１０が回動することができないので、勝手にノブ２０が回り、温度設定が狂うということも可及的に少なくなる利点がある。
【００７７】
また、具体的には、図示していないが、係合部の形状としては、上述した実施形態のように、中実の直方体に形成された突起１０ｈに限らず、例えば、コの字状に形成された鉤状の突起物を採用してもよい。
【００７８】
また、一つの係合部をケーシングの内壁に設け、複数の係止部を連結部材に設けてもよい。係止部の個数は、上述した８個に限らず、設定温度に応じた任意の個数に設定することができる。第２の係止部の個数も同様である。
【００７９】
また、係止部は、有底の凹部の他、貫通孔であってもよい。
【００８０】
また、上述した実施形態では、鍵受け部は、ノブ下部材１０に設けられた第１、第２のキー溝１０ｅ、１０ｆで具体化されているが、これに限らず、例えば、ケーシング（具体的には、外ケーシング６）の開口に形成されていてもよい。
【００８１】
さらに、「ケーシングに・・・設けられ」という概念は、ケーシングに直接固定されている態様のみならず、ケーシングに対し、一体的に固定される別部材を介して取り付けられている態様を含むものである。
【００８２】
或いは、弾性部としての舌片１０ｇは、本体１０ａに一体形成されたものであるが、金属等の別部材を本体１０ａに取り付けたものであってもよい。
【００８３】
また、弾性部として、舌片１０ｇに代え、ノブ下部材１０と可変抵抗器７との間に介装されたばね部材を採用し、所定の押し込み動作でノブ下部材１０全体が可変抵抗器７に対し、相対的に押し込み方向に変位する構成を採用してもよい。
【００８４】
また、別の実施形態においては、鍵受け部を省略してもよい。その場合であっても、設定温度のロックを解除するためには、積極的に（或いは意識的に）弾性部をケーシングの外側から内側へ押し込む必要がある。従って、フリーで連結部材が回動するものに比べ、温度ロック機能の信頼性を確保することが可能となる。一方、押し込み動作によって、ロック状態を容易に解除することができるので、特殊な保護カバーで調整ノブ等を被覆するはんだ取扱装置に比べ、設定温度調整作業の簡便性を高く維持することができるので、家庭用のはんだ取扱装置としても充分に市場のニーズに応えることが可能となる。
【００８５】
その他、本発明の要旨を逸脱しない範囲内において種々変更を加え得ることはいうまでもない。
【符号の説明】
【００８６】
１  はんだこて（はんだ取扱装置の一例）
２  グリップ部
４  こて先（発熱部の一例）
５  内ケーシング（ケーシングの一例）
５ａ  凹部（係止部の一例）
５ｂ  六角穴（第２の係止部の一例）
６  外ケーシング（ケーシングの一例）
７  可変抵抗器
７ｂ  回動操作部材（可動部の一例）
１０  ノブ下部材
１０ａ  本体（連結部材の要部）
１０ｂ  着座部
１０ｃ  連結突起（連結部材の要部）
１０ｄ  ボス部（連結部材の要部）
１０ｅ  第１のキー溝（鍵受け部の一例）
１０ｇ  舌片（弾性部の一例）
１０ｈ  突起（係合部の一例）
１０ｉ  突出片
１０ｊ  六角突起（第２の係合部の一例）
２０  ノブ（操作部材の一例）
２０ａ  マーク
２１  ノブ本体
２１ａ  リブ
２２  第１のキー突起（特定形状の部材、キー突起の一例）
２３  第２のキー突起
４０  温度調整用ハンドル（操作部材の一例）
４１  第１の突起（特定形状の部材、キー突起の一例）
４４  取っ手
ＴＡ  温度調整機構
【図１】
0005873297.tif 000002
【図２】
0005873297.tif 000003
【図３】
0005873297.tif 000004
【図４】
0005873297.tif 000005
【図５】
0005873297.tif 000006
【図６】
0005873297.tif 000007
【図７】
0005873297.tif 000008
【図８】
0005873297.tif 000009
【図９】
0005873297.tif 000010
【図１０】
0005873297.tif 000011
【図１１】
0005873297.tif 000012